(57)【特許請求の範囲】
【請求項１】
天板には開口部が設けられ、該開口部の下方には前記天板下面に支持されたコ字形の配線ダクトが配設されると共に前記開口部は開閉可能な蓋体によって前記天板の上面と略面一に閉塞され、前記蓋体の下面と前記配線ダクトの底面との間で形成される空間が、配線ダクト内に設けられかつ電源コードや通信用ケーブル等の接続端子が組み込まれた保持板によって上下に区画されていることを特徴とするテーブルの配線ダクト構造。
【請求項２】
前記保持板は、長手移動により係脱可能な係止手段に係止されて前記配線ダクト内に上下移動が拘束された状態で支持されている請求項１に記載のテーブルの配線ダクト構造。
【請求項３】
前記保持板は、矩形の平板状に形成されて長手方向が少なくとも２つに分割されており、前記配線ダクト内に係止された前記分割された保持板によって形成される長手方向の間隙に補助板を上下に取り外し自在に挿嵌支持することによって前記係止された保持板の長手方向の移動が拘束されている請求項２に記載のテーブルの配線ダクト構造。
【請求項４】
前記蓋体の周縁部には、配線コードが挿通可能な切欠部が複数個設けられている請求項１に記載のテーブルの配線ダクト構造。
【請求項５】
前記蓋体は、長手方向に対し複数に分割されている請求項１または４に記載のテーブルの配線ダクト構造。
【請求項６】
前記配線ダクト内の両側面には、前記保持板を支持する支持片が突設されている請求項１または３に記載のテーブルの配線ダクト構造。
【請求項７】
前記配線ダクトの底面には、前記電源コードや通信用ケーブル等の接続端子の配線コードを挿通する挿通孔が形成されている請求項１、３または６の何れかに記載のテーブルの配線ダクト構造。
【発明の詳細な説明】
【０００１】
【発明の属する技術分野】
本発明は、テーブルの配線ダクト構造の改良に関する。
【０００２】
【従来の技術】
近年では、オフィスや図書館などでＯＡ機器などを載置して多人数で使用することができるテーブルが開発されており、この種のテーブルは年々改良されつつある。
【０００３】
例えば、特開平１１−１２７９６７号公報に開示されているＯＡ用のテーブルは、天板に形成される開口部が複数の配線挿通口を有する２分割された蓋体により前記天板と面一になるよう閉塞されている。
【０００４】
天板の下面には、開口部には該開口部を臨むように配線等を案内するための中間樋が配設され、その底面には複数の貫通孔が形成されている。また、前記蓋体にも複数の配線挿通口が形成され、この配線挿通口には略円筒状のコンセントボックスが蓋体の上面と面一になるよう装着され、各コンセントボックスの配線の配線が中間樋に収容され、各挿通孔を通して降された配線は床面下面に配設されたＯＡダクトに導かれている。
【０００５】
【発明が解決しようとする課題】
しかしながら、このような従来のＯＡ用のテーブルは、天板の開口部を閉塞する前記蓋体に装着されたコンセントボックスが上面に露呈しているため、この差込口にゴミなどの異物が侵入したり、天板上に載置されるＯＡ機器の脚部等が差込口に当接して破損する等の問題を有し、また、天板上に露呈する差込口とＯＡ機器とを接続する配線コード全長が天板上を広く占有することから、他の利用者の邪魔になるとともに見栄えが悪くなる問題を有していた。
【０００６】
本発明は、このような問題点に着目してなされたもので、電源コードや通信用ケーブル等の接続端子が天板の下面に隠蔽されて安全に保護されると共に、天板上面を広く使用することができるテーブルの配線ダクト構造を提供することを目的とする。
【０００７】
【課題を解決するための手段】
上記課題を解決するために、本発明のテーブルの配線ダクト構造は、天板には開口部が設けられ、該開口部の下方には前記天板下面に支持されたコ字形の配線ダクトが配設されると共に前記開口部は開閉可能な蓋体によって前記天板の上面と略面一に閉塞され、前記蓋体の下面と前記配線ダクトの底面との間で形成される空間が、配線ダクト内に設けられかつ電源コードや通信用ケーブル等の接続端子が組み込まれた保持板によって上下に区画されていることを特徴としている。この特徴によれば、電源コードや通信用ケーブル等の接続端子が天板上に露呈することなく蓋体下面に安全に収容されると共に、接続端子に接続される電源コードや通信用ケーブル等が蓋体下面の空間に収容されるので、テーブル上面を広く占有することがなくなるばかりか、接続端子下面から延出される複数の配線コードも保持板の下面に体裁良く収容することができる。
【０００８】
本発明のテーブルの配線ダクト構造は、前記保持板が、長手移動により係脱可能な係止手段に係止されて前記配線ダクト内に上下移動が拘束された状態で支持されていれば好適である。
このようにすることにより、長手移動により保持板が配線ダクト内に上下移動が拘束状態で支持されるので、保持板が、電源コードや通信用ケーブル等を引き抜く際に上方に移動することがないばかりか、メンテナンス等を行う際には簡単な操作で開放することができる。
【０００９】
本発明のテーブルの配線ダクト構造は、前記保持板は、矩形の平板状に形成されて長手方向が少なくとも２つに分割されており、前記配線ダクト内に係止された前記分割された保持板によって形成される長手方向の間隙に補助板を上下に取り外し自在に挿嵌支持することによって前記係止された保持板の長手方向の移動が拘束されていれば好適である。このようにすることにより、長手方向に分割されて配線ダクト内に係止された保持板が、該保持板によって形成される長手方向の間隙に補助板を上下の移動により挿嵌することで長手方向の移動が拘束されるので、保持板の着脱操作が容易になり保持板下面に収容される接続端子下面から出される複数の配線コード類のメンテナンスを容易に行うことができる。
【００１０】
本発明のテーブルの配線ダクト構造は、前記蓋体の周縁部には、配線コードが挿通可能な切欠部が複数個設けられていれば好適である。
このようにすることにより、選択された切欠部より配線コードを挿通させてＯＡ機器等に接続することができるので、配線コードに規制されず蓋体の開閉を自由に行うことができる。
【００１１】
本発明のテーブルの配線ダクト構造は、前記蓋体が、長手方向に対し複数に分割されていれば好適である。
このようにすることにより、使用される電源コードや通信用ケーブル等の接続端子直上の蓋体のみを開放するだけでプラグ等を接続することができるので、配線コードの着脱作業を容易に行うことができる。
【００１２】
本発明のテーブルの配線ダクト構造は、前記配線ダクト内の両側面には、前記保持板を支持する支持片が突設されていれば好適である。
このようにすることにより、保持板を平板状の単純構造に形成することができ、保持板の分割加工も容易に行うことができる。
【００１３】
本発明のテーブルの配線ダクト構造は、前記配線ダクトの底面には、前記電源コードや通信用ケーブル等の接続端子の配線コードを挿通する挿通孔が形成されていれば好適である。
このようにすることにより、複数の配線コードをまとめて挿通孔に挿通することにより最短距離で床面のＯＡダクトに導くことができる。
【００１４】
【発明の実施の形態】
以下、本発明の一実施形態を図面に基づいて説明する。図１は本発明のテーブルの配線ダクト構造を利用して天板上のＯＡ機器に配線コードを接続して使用する状態を示す斜視図、図２は本発明のテーブルの配線ダクト構造を示す分解組立斜視図であり、図３は本発明のテーブルの配線ダクト構造を示す横断面図である。
【００１５】
先ず図１に示されるように、１は本発明の配線ダクト構造が採用されたテーブルを示し、このテーブル１は多数の利用者が利用することができる大型のテーブルであって、このテーブル１の天板２中央には貫通した矩形の開口部３が形成されている。
【００１６】
この開口部３は、天板２の上面と略面一になるよう長手方向に３分割された蓋部材４ａ、４ｂ、４ｃからなる蓋体４により開閉可能に閉塞されている。両側に配置される蓋部材４ａ、４ｂには、詳細は後述するが、その下面に配置される保持板１４に組込まれる電源コードや通信用ケーブル等の接続端子の配置に対応するよう配線用の複数の切欠部Ｒが形成されている。
【００１７】
開口部３の下方には、配線ダクト５が天板２の下面に支持されて設けられ、この配線ダクト５は、断面コ字形に形成されて両側面６ａ、６ｂの上端には天板２の下面に取付けつけるためのフランジ７ａ、７ｂが形成され、底面６ｃの略中央には後述する配線コードを挿通するための挿通孔８が形成されている。
【００１８】
更に、配線ダクト５の両側壁６ａ、６ｂの内側には一対の支持側板９ａ、９ｂが溶接等の手段で固定され、これら支持側板９ａ、９ｂの上端外側には蓋体４を支持するためのフランジ１０ａ、１０ｂが形成されると共に、下端内側には後述する保持板を支持するための支持片となるフランジ１１ａ、１１ｂが形成され、その両端は端板１２ａ、１２ｂによって閉塞されている。
【００１９】
また、支持側板９ａ、９ｂ下端の両フランジ１１ａ、１１ｂには大径穴とこの大径穴に連通する小幅の長穴から成るダルマ形の係止穴１２及び１３が所定間隔で配置され、これら係止穴１２及び１３は両フランジ１１ａ、１１ｂの略中央を境に小幅の長穴が互いに外側を向くように対称的に配置されている。
【００２０】
次に、蓋体４の下面には保持板１４が配置され、この保持板１４は、矩形の平板状に形成されて長手方向が２分割され、電源コード等の接続端子として例えば電源用コンセント１５や通信用ケーブル等の接続端子として電話用コンセント１６が組み込まれる２枚の主保持板１４ａ、１４ｂから構成され、電源用コンセント１５及び電話用コンセント１６は、主保持板１４ａ、１４ｂ中央に長手方向に連設配置された図示しない貫通角穴に所定の固着手段により固定されて組込まれている。
【００２１】
さらに主保持板１４ａ、１４ｂ下面の四隅には頭部下端に設けた４本の係止ピン１７が支持側板９ａ、９ｂ下端の両フランジ１１ａ、１１ｂに形成された係止穴１２及び１３に対応して配置され、これら係止ピン１７と係止穴１２及び１３によって係止手段が構成されている。
【００２２】
次に本発明のテーブルの配線ダクト構造に係る組立て手順並びに使用方法につき説明する。図４の（ａ）〜（ｂ）は２分割された保持板の組立て手順を示す説明図である。
【００２３】
最初に、電源用コンセント１５及び電話用コンセント１６が組込まれた２枚の主保持板１４ａ、１４ｂを、その下面の各係止ピン１７が支持側板９ａ、９ｂ下端の両フランジ１１ａ、１１ｂに長手中央を境に対称的に配置された係止穴１２及び１３にそれぞれ対応させた状態で下降し、各係止ピン１７の頭部を係止穴１２及び１３の大径穴にそれぞれ挿通させる。
【００２４】
次に、係止穴１２及び１３に各係止ピン１７の頭部が係止された状態で、両フランジ１１ａ、１１ｂの上面に載置された各主保持板１４ａ、１４ｂを、互いが離間するように長手方向外側にスライドさせることにより、両主保持板１４ａ、１４ｂの間隔Ｌ１をＬ２に拡大させる。
【００２５】
これにより、各主保持板１４ａ、１４ｂを長手方向外側にスライドさせるだけで、各係止ピン１７の頭部が両フランジ１１ａ、１１ｂの係止穴１２に係止されるので、各主保持板１４ａ、１４ｂの係脱操作を容易に行うことができる。
【００２６】
そこで、両主保持板１４ａ、１４ｂ間の拡開された間隔Ｌ２に、該当する長さのＬ２の補助板１４ｃを挿嵌することにより、両主保持板１４ａ、１４ｂは長手方向の移動が拘束されると同時に係止ピン１７の頭部が係止穴１２及び１３の幅細の長穴に係止されて移動不能に保持される。
【００２７】
従って、互いに離間して配置された両主保持板１４ａ、１４ｂの拡大された間隙Ｌ２内に、補助板１４ｃを装着するだけの簡単な簡単な操作で、両主保持板１４ａ、１４ｂを配線ダクト５内に上下移動が拘束状態で支持されるので、該両主保持板１４ａ、１４ｂが、電源コードや通信用ケーブル等を引き抜く際に上方に移動することがないばかりか、メンテナンス等を行う際には簡単な操作で開放することができる。
【００２８】
次に、配線ダクト５内のフランジ１１ａ、１１ｂに両主保持板１４ａ、１４ｂが移動不能に支持されて、蓋体４の下面と配線ダクト５の底面との間で形成される空間が、配線コードＷ１，Ｗ２や、電源用コンセント１５及び電話用コンセント１６が組み込まれた両主保持板１４ａ、１４ｂ及び補助板１４ｃによって上下に区画される。
【００２９】
これによって、電源用コンセント１５及び電話用コンセント１６等が、天板２上に露呈することなく蓋体４の下面に安全に収容されるれるので、テーブル１上面を広く占有することがなくなるばかりか、電源用コンセント１５及び電話用コンセント１６の下面から延出される複数の電源側配線コードＤも両主保持板１４ａ、１４ｂ及び補助板１４ｃの下面に収容することができる。
【００３０】
従って、配線コードＷ１，Ｗ２や、電源用コンセント１５及び電話用コンセント１６が組み込まれた両主保持板１４ａ、１４ｂ及び補助板１４ｃが、蓋体４下面との間に所定深さの空間が形成された状態で保持されるので、電源用コンセント１５及び電話用コンセント１６にプラグＰ等を差込んで使用することができる。
【００３１】
次に、配線ダクト５内に保持された両主保持板１４ａ、１４ｂの電源用コンセント１５及び電話用コンセント１６にプラグＰ等が差込まれると、開口部３は蓋体４によって天板と面一に閉塞されることとなる。
【００３２】
そこで、図１に示されるようにテーブル１の天板２上の所定個所で、ＯＡ機器としてのパーソナルコンピュータＰ１、Ｐ２等が適宜各利用者によって使用される際は、分割された蓋部材４ａ、４ｂの何れかを開放して所望の電源用コンセント１５及び電話用コンセント１６にプラグＰが差し込れるが、差し込まれたプラグからの各配線コードＷ１またはＷ２は、閉塞時に蓋部材４ａまたは４ｂの切欠部Ｒから挿通される。
【００３３】
このように、配線ダクト５内に支持される電源用コンセント１５及び電話用コンセント１６は、天板２と面一に閉塞される蓋体４によって隠蔽されるので安全に収容される。また、蓋体４の下面との間に形成される所定の空間には電源用コンセント１５及び電話用コンセント１６に差し込まれれたプラグＰや、各配線コードＷ１またはＷ２が隠蔽されて収容されるので、テーブル上面を広く占有することがなくなる。
【００３４】
また、蓋体４の周縁部には、複数の切欠部Ｒが複数個設けられているので、選択された切欠部より配線コードＷ１、Ｗ２を挿通させてパソコン等のＯＡ機器に接続することができるので、天板２上に配線コードＷ１、Ｗ２が整然と整理されて配線される。
【００３５】
さらに、蓋体４が長手方向に対し複数に分割されているので、使用される電源用コンセント１５及び電話用コンセント１６直上の蓋部材４ａまたは４ｂのみを開放するだけでプラグＰ等を接続することができるので、配線コードＷ１、Ｗ２の着脱作業を容易に行うことができる。
【００３６】
加えて、配線ダクト５内の両側面には保持板１４を支持するフランジ１１ａ、１１ｂが形成されているので、保持板１４を配線ダクト５内底面との間または蓋体４の下面との間に、所定の空間を形成する複雑な構成にすることなく平板状の単純構造に形成することができ、分割する加工も容易に行うことができる。
【００３７】
また、電源用コンセント１５及び電話用コンセント１６が組み込まれた保持板１４は、配線ダクト５の底面との間に空間が形成されているので、電源用コンセント１５及び電話用コンセント１６下面から出される複数の配線コードも保持板１４の下面に収容することができ、これら配線コードのメンテナンスも容易に行うことができる。
【００３８】
また、配線ダクト５の底面には電源用コンセント１５及び電話用コンセント１６の電源側配線コードＤを挿通する挿通孔８が形成されているので、複数の電源側配線コードＤをまとめて挿通孔８に挿通することにより最短距離で図示しない床面下面のＯＡダクトに導くことができる。
【００３９】
次に、本発明の他の実施形態につき説明する。すなわち、図５は他の実施形態に係るテーブルの配線ダクト構造を示す分解組立斜視図である。なお、前述した実施形態における構成部分と同一構成部分については同一符号を付し重複する説明を省略する。
【００４０】
本実施形態では、前記実施形態における蓋体のうち長手方向に３分割された蓋部材の中間に配置される蓋部材２０の接合部両側にも配線コードを相通するための切欠部Ｒ′が形成されている構成、及び長手方向に２分割された２枚の主保持板が片側に連設配置され、その端部に補助板が配置される構成が前記実施形態と相違している。
【００４１】
従って、本実施形態においては、分割された２枚の主保持板１４ａ、１４ｂが支持側板９ａ、９ｂ下端の両フランジ１１ａ、１１ｂ上に片側（左側）に寄せて配置されることから、左側の係止穴１２は前記実施形態のものと共用することができるが、これに加えて、両フランジ１１ａ、１１ｂ上に、主保持板１４ａに連設配置される別の主保持板１４ｂ下面の４本の係止ピン１７に対応する係止穴２２が前記係止穴１２と同じ方向に形成される。
【００４２】
このように構成された、本実施形態の主保持板１４ａ、１４ｂを下降させて各係止ピン１７を両フランジ１１ａ、１１ｂの係止穴１２及び２２に係止すると同時に左側にスライドし、両フランジ１１ａ、１１ｂ上の右側端部に形成された間隙に補助板１４ｃを挿嵌することにより、両主保持板１４ａ、１４ｂは長手方向の移動が拘束されると同時に係止ピン１７の頭部が係止穴１２及び２２の幅細の長穴に係止されて移動不能に保持される。
【００４３】
次に、保持板１４上方の開口部３は蓋体４によって天板２と面一になるように閉塞されるが、３分割された蓋部材４ａ、４ｂの中央に配置される蓋部材２０にも切欠部Ｒが形成されているので、蓋部材２０の直下に配置される主保持板１４ｂの電源用コンセント１５及び電話用コンセント１６にプラグＰを差し込んで配線コードを取り出すことができ、切欠部Ｒに指を差し込むことにより容易に開放することが出来る。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前述した実施形態においては、蓋体４を３分割及び保持板１４を２分割した例について述べたが分割数に限定されるものではなく、また分割された蓋部材４ａ、４ｂ、４ｃや、分割された主保持板１４ａ、１４ｂ及び補助板１４ｃの配置、組合わせも適宜変更することができることは勿論である。
【００４６】
また、前述した実施形態では、コンセントは、電源用と電話用のものが使用されているが、ネットワーク用に使用される通信ケーブル等のコンセントを設けても良い。
【００４７】
【発明の効果】
本発明は以下の効果を奏する。
【００４８】
（ａ）請求項１項の発明によれば、電源コードや通信用ケーブル等の接続端子が天板上に露呈することなく蓋体下面に安全に収容されると共に、接続端子に接続される電源コードや通信用ケーブル等が蓋体下面の空間に収容されるので、テーブル上面を広く占有することがなくなるばかりか、接続端子下面から延出される複数の配線コードも保持板の下面に体裁良く収容することができる。
【００４９】
（ｂ）請求項２項の発明によれば、長手移動により保持板が配線ダクト内に上下移動が拘束状態で支持されるので、保持板が、電源コードや通信用ケーブル等を引き抜く際に上方に移動することがないばかりか、メンテナンス等を行う際には簡単な操作で開放することができる。
【００５０】
（ｃ）請求項３項の発明によれば、長手方向に分割されて配線ダクト内に係止された保持板が、該保持板によって形成される長手方向の間隙に補助板を上下の移動により挿嵌することで長手方向の移動が拘束されるので、保持板の着脱操作が容易になり保持板下面に収容される接続端子下面から出される複数の配線コード類のメンテナンスを容易に行うことができる。
【００５１】
（ｄ）請求項４項の発明によれば、選択された切欠部より配線コードを挿通させてＯＡ機器等に接続することができるので、配線コードに規制されず蓋体の開閉を自由に行うことができる。
【００５２】
（ｅ）請求項５項の発明によれば、使用される電源コードや通信用ケーブル等の接続端子直上の蓋体のみを開放するだけでプラグ等を接続することができるので、配線コードの着脱作業を容易に行うことができる。
【００５３】
（ｆ）請求項６項の発明によれば、保持板を平板状の単純構造に形成することができ、保持板の分割加工も容易に行うことができる。
【００５４】
（ｇ）請求項７項の発明によれば、複数の配線コードをまとめて挿通孔に挿通することにより最短距離で床面のＯＡダクトに導くことができる。
【図面の簡単な説明】
【図１】本発明のテーブルの配線ダクト構造を利用して天板上のＯＡ機器に配線コードを接続して使用する状態を示す斜視図である。
【図２】本発明のテーブルの配線ダクト構造を示す分解組立斜視図である。
【図３】本発明のテーブルの配線ダクト構造を示す横断面図である。
【図４】（ａ）〜（ｂ）は２分割された保持板の組立て手順を示す説明図である。
【図５】他の実施形態に係るテーブルの配線ダクト構造を示す分解組立斜視図である。
【符号の説明】
１                テーブル
２                天板
３                開口部
４                蓋体
４ａ、４ｂ、４ｃ  蓋部材
５                配線ダクト
６ａ、６ｂ        側壁
６ｃ              底面
７ａ、７ｂ        フランジ
８                挿通孔
９ａ、９ｂ        支持側板
１０ａ、１０ｂ    フランジ
１１ａ、１１ｂ    フランジ
１２              係止穴
１２ａ            端板
１４              保持板
１４ａ、１４ｂ    主保持板
１４ｃ            補助板
１５              電源用コンセント
１６              電話用コンセント
１７              係止ピン
２０              蓋部材
２２              係止穴
Ｄ                電源側配線コード
Ｐ                プラグ
Ｐ１、Ｐ２        パーソナルコンピュータ
Ｒ                切欠部
Ｗ１、Ｗ２        配線コード
【図１】
0004440393.tif 000002
【図２】
0004440393.tif 000003
【図３】
0004440393.tif 000004
【図４】
0004440393.tif 000005
【図５】
0004440393.tif 000006